(57)【要約】【課題】  運搬作業の作業性を向上させた縦型遊技機用の運搬機構を提供する。【解決手段】  遊技機本体を縦向きの立設姿勢で閉止保持する外枠１０の下部に運搬機構が設けられる。運搬機構は車輪１３０を転動自在に支持する左右の支持ブラケット１２０と、左右の支持ブラケットを連結する連結ロッド１４０と、外枠の下部に設けられて左右の支持ブラケットを着脱可能に支持するベース部材１１０と、車輪１３０が外枠１０の外方に突出された使用位置Ｃｐに支持ブラケットを係止する係止構造１５５とを備え、連結ロッド１４０により連結された左右の支持ブラケット１２０をベース部材１１０に装着して使用位置Ｃｐに係止したときに、左右の車輪１３０が外枠１０の外方に突出して配設され、車輪１３０を接地させて前後方向に転がり運搬可能に構成される。【選択図】  図８
2005245486.tif 000002
【特許請求の範囲】
【請求項１】
上下左右の枠板を有して外郭方形の枠状に形成され、前方に開閉可能に連結された遊技構造体を縦向きの立設姿勢で閉止保持する基枠体を備えた縦型遊技機用の運搬機構であって、
それぞれ転動体を転動自在に支持する左右の転動体支持部材と、
前記左右の転動体支持部材を連結する連結部材と、
前記基枠体の下部に設けられ前記連結部材により連結された前記左右の転動体支持部材を着脱可能に支持するベース部材と、
前記ベース部材に支持された前記左右の転動体支持部材を前記転動体が前記基枠体の外方に突出された使用位置に係止保持する係止構造とを備え、
前記連結部材により連結された前記左右の転動体支持部材を前記ベース部材に装着して前記使用位置に係止したときに前記左右の転動体が前記基枠体の外方に突出して配設され、前記転動体を接地させて前記基枠体を支持させた状態で前後方向に転がり運搬可能に構成したことを特徴とする縦型遊技機用の運搬機構。
【請求項２】
上下左右の枠板を有して外郭方形の枠状に形成され、前方に開閉可能に連結された遊技構造体を縦向きの立設姿勢で閉止保持する基枠体を備えた縦型遊技機用の運搬機構であって、
それぞれ転動体を転動自在に支持する左右の転動体支持部材と、
前記左右の転動体支持部材を連結する連結部材と、
前記基枠体の下部に設けられ前記連結部材により連結された前記左右の転動体支持部材を、前記転動体が前記基枠体の内方に収容された収容位置と前記基枠体の外方に突出させた使用位置とに変移可能に支持するベース部材と、
前記ベース部材に支持された前記左右の転動体支持部材を前記使用位置に係止保持する係止構造とを備え、
前記連結部材により連結された前記左右の転動体支持部材を前記使用位置に係止したときに前記左右の転動体が前記基枠体の外方に突出して配設され、前記転動体を接地させて前記基枠体を支持させた状態で前後方向に転がり運搬可能に構成したことを特徴とする縦型遊技機用の運搬機構。
【請求項３】
前記使用位置では、前記基枠体の外方に突出された前記左右の転動体が前記基枠体の底面と同一面または底面よりも上方に位置して前記基枠体の後方に配設され、前記基枠体を正立させた状態において前記基枠体の底面が接地して前記基枠体が立設姿勢で支持される一方、前記基枠体を後方に傾けた状態においては前記左右の転動体が接地して前記基枠体が支持され当該後傾姿勢で転がり運搬可能に構成したことを特徴とする請求項１または請求項２に記載の縦型遊技機用の運搬機構。
【発明の詳細な説明】
【技術分野】
【０００１】
本発明は、上下左右の枠板を有して外郭方形の枠状に形成され、前方に開閉可能に連結された遊技構造体を縦向きの立設姿勢で閉止保持する基枠体を備えた縦型遊技機用の運搬機構に関する。
【背景技術】
【０００２】
上記のような基枠体を備えた縦型遊技機としてパチンコ機やアレンジボール機、雀球遊技機などが広く知られている。この種の遊技機の代表例とされるパチンコ機では、上下左右の枠板が外郭方状に枠組みされた固定保持用の基枠体（外枠と称される）と、この基枠体の前側開口面域に合わせた方形状の前枠に多数の遊技部品が組み付けられて構成された遊技構造体（遊技機本体）とが、互いの一側縁に設けられた開閉連結支持機構を介して横開き開閉可能に連結され、他側縁に設けられた施錠装置を利用して基枠体の前面を覆う閉止姿勢に連結保持した状態で遊技に供される。
【０００３】
製造工場で基枠体と遊技構造体とを連結して完成されたパチンコ機は、一旦倉庫に保管された後、出荷要求に応じて倉庫から搬出してトラック等で遊技施設に運搬され、納入された遊技施設で島大工と称される専門業者により１台ずつ設置枠台にセットされて固定設置されている。ところが、基枠体と遊技構造体とが連結されたパチンコ機は、一般的に２０kg程度の質量を有する重量物であり、かつ短時間のうちに多数のパチンコ機を取り扱う必要があることから、上記搬出作業やトラックから遊技施設への搬入作業、遊技施設内の移動作業などの各作業（運搬作業）は相当な重労働とされている。
【０００４】
このような背景のもと、重量物であるパチンコ機の運搬を補助する手段として、基枠体の左右の枠板に把持可能な把持部を設けた技術（例えば特許文献１）や、基枠体の外周部に複数のキャスターをそれぞれ着脱可能に設けた技術（例えば特許文献２）などが知られている。
【特許文献１】特開２００１−１２０８０４号公報
【特許文献２】特開平１０−２９５９０６号公報
【発明の開示】
【発明が解決しようとする課題】
【０００５】
しかしながら、例えば基枠体に把持部を設けた形態の技術では、パチンコ機を持ち上げる行為自体については幾分作業性が改善されるものの、パチンコ機を運搬する際に作業者がパチンコ機を持ち上げて全重量を支持しながら移動しなければならない点に差異がなく、運搬作業が重労働であることに変わりがなかった。
【０００６】
一方、基枠体の外周部に複数のキャスターをそれぞれ着脱可能に設けた形態の技術では、パチンコ機の荷重をキャスターに支持させることで、重量物を持ち上げ支持する負担を軽減することができる。しかし、キャスターを装着したままでは緩い傾斜をもった床面やトラックの荷台等に仮置きしたときにパチンコ機が転がり移動してしまう不具合があり、これを防ぐために移動と仮置きのたびに複数のキャスターを着脱しなければならないとすれば、着脱作業が煩雑で作業性がよくないという問題があった。
【０００７】
また、パチンコ機を機体の左右方向に転がり移動させるようなキャスターを設けた形態では、前後方向に薄型で高さが高いパチンコ機を安定的に運搬することが難しいという問題があった。すなわち、前後に転倒しやすいパチンコ機が移動中に倒れないように機体の上部を両手で挟み込むように支持したうえ、定まりにくい進行方向を、支持した両手で調整しながら手押し運搬しなければならず、多数のパチンコ機を運搬しなければならない作業者にとってかなり疲労を伴う作業になっていた。
【０００８】
本発明は上記のような事情に鑑みてなされたものであり、とかく重労働とされる縦型遊技機の搬出から設置に至る各運搬作業の負担を軽減し、作業性の良好な運搬機構を提供することを目的とする。
【課題を解決するための手段】
【０００９】
上記目的達成のため、第１の本発明は、上下左右の枠板を有して外郭方形の枠状に形成され、前方に開閉可能に連結された遊技構造体を縦向きの立設姿勢で閉止保持する基枠体（例えば、実施形態における外枠１０）を備えた縦型遊技機用の運搬機構であり、それぞれ転動体を転動自在に支持する左右の転動体支持部材（例えば、実施形態における支持ブラケット１２０，２２０）と、左右の転動体支持部材を連結する連結部材と、基枠体の下部に設けられて連結部材により連結された左右の転動体支持部材を着脱可能に支持するベース部材と、ベース部材に支持された左右の転動体支持部材を転動体が基枠体の外方に突出された使用位置に係止保持する係止構造（例えば、実施形態における係止ネジ１５５等）とを備え、連結部材により連結された左右の転動体支持部材をベース部材に装着して使用位置に係止したときに左右の転動体が基枠体の外方に突出して配設され、転動体を接地させて基枠体を支持させた状態で前後方向に転がり運搬可能に構成される。
【００１０】
また第２の本発明は、上下左右の枠板を有して外郭方形の枠状に形成され、前方に開閉可能に連結された遊技構造体を縦向きの立設姿勢で閉止保持する基枠体（例えば、実施形態における外枠１０）を備えた縦型遊技機用の運搬機構であり、それぞれ転動体を転動自在に支持する左右の転動体支持部材（例えば、実施形態における支持ブラケット１２０，２２０）と、左右の転動体支持部材を連結する連結部材と、基枠体の下部に設けられ連結部材により連結された左右の転動体支持部材を転動体が基枠体の内方に収容された収容位置と基枠体の外方に突出させた使用位置とに変移可能に支持するベース部材と、ベース部材に支持された左右の転動体支持部材を使用位置に係止保持する係止構造（例えば、実施形態における係止ネジ１５５等）とを備え、連結部材により連結された左右の転動体支持部材を使用位置に係止したときに左右の転動体が基枠体の外方に突出して配設され、転動体を接地させて基枠体を支持させた状態で前後方向に転がり運搬可能に構成される。
【００１１】
なお第１または第２の本発明における使用位置では、基枠体の外方に突出された左右の転動体が基枠体の底面と同一面または底面よりも上方に位置して前記基枠体の後方に配設され、基枠体を正立させた状態において基枠体の底面が接地して基枠体が立設姿勢で支持される一方、基枠体を後方に傾けた状態においては左右の転動体が接地して基枠体が支持され、当該後傾姿勢で転がり運搬可能に構成することが好ましい。
【発明の効果】
【００１２】
上記第１の本発明に係る運搬機構では、転動体を支持する左右の転動体支持部材が連結部材により連結され、連結された左右の転動体支持部材が一体として基枠体下部のベース部材に着脱可能に支持される。このため、複数のキャスターを個々に着脱する場合と比較して着脱に要する作業工数を半分以下に削減することができ、キャスターの着脱に伴う作業の繁雑さを改善することができる。また、この運搬機構では左右の転動体支持部材を使用位置に係止し転動体を接地させて基枠体を支持させた状態で、前後方向に転がり運搬することができる。このため、運搬作業者は、遊技機の前面または背面と対向する前向きの運搬姿勢で、比較的幅がある縦型遊技機の上部左右を支えて、機体を安定的に、かつ容易に手押し運搬することができ、あるいは遊技機に背を向けた運搬姿勢で縦型遊技機の上部中央を支え、機体を安定的に、かつ容易に引っ張り運搬することができる。従って、本構成によれば、縦型遊技機の搬出から設置に至る各運搬作業の負担を軽減し、作業性の良好な運搬機構を提供することができる。
【００１３】
また上記第２の本発明に係る運搬機構では、転動体を支持する左右の転動体支持部材が連結部材により連結され、連結された転動体支持部材の左右の転動体が基枠体の内方に収容された収容位置と基枠体の外方に突出させた使用位置とに一体的に変移可能に支持される。このため、このため、運搬機構を使用するときに転動体支持部材を使用位置に係止保持させ、運搬機構を使用しないときに転動体支持部材を収容位置に変移させることで、作業負担を軽減した使用状態と転動体をコンパクトに収容した収容状態とを容易に切り換えることができ、キャスターの着脱に伴う作業の繁雑さを解消することができる。また左右の転動体を同時に使用位置と収容位置とに切り換え得ることができるため、切り換え作業の工数をも削減して作業性の良好な運搬機構を提供できる。さらに、左右の転動体に基枠体を支持させた状態で前後方向に転がり運搬することができるため、運搬作業者は、遊技機の前面または背面と対向する前向きの運搬姿勢で、比較的幅がある縦型遊技機の上部左右を支えて、機体を安定的に、かつ容易に手押し運搬することができ、あるいは遊技機に背を向けた運搬姿勢で縦型遊技機の上部中央を支え、機体を安定的に、かつ容易に引っ張り運搬することができる。従って、本構成によれば、縦型遊技機の搬出から設置に至る各運搬作業の負担を軽減し、作業性の良好な運搬機構を提供することができる。
【００１４】
なお、使用位置における転動体の配設位置を機枠体後方における底面以上の高さ位置とし、基枠体を正立させた状態では基枠体の底面が接地して立設姿勢で支持される一方、基枠体を後方に傾けた状態では左右の転動体が接地して基枠体が支持され、当該後傾姿勢で転がり運搬可能に構成することで、遊技機の運搬過程で転動体を使用位置に設定しておけば、基枠体を後方に傾けるだけで遊技機の重量を転動体に支持させることができ、基枠体の上部を支えて容易にかつ安定的に転がり運搬することができる。また、転動体が使用位置に設定されている状態であっても、基枠体を正立させることで基枠体の底面を接地させて自立させることができるため、緩い傾斜をもった床面上に仮置きしても遊技機が自ら転がり移動してしまうようなことがない。さらに、遊技機の完成時に転動体を使用位置に設定しておけば、遊技施設の設置枠台に固定するまでの運搬過程では遊技機を傾斜させまたは正立させるだけで転動体支持と底板による安定支持とを行わせることができ、移動と仮置きのたびに転動体を着脱しまたは使用位置と収容位置とに切り換える必要がない。従って、本構成によれば、縦型遊技機の搬出から設置に至る各運搬作業の負担をさらに軽減し、作業性の良好な運搬機構を提供することができる。
【発明を実施するための最良の形態】
【００１５】
以下、本発明を実施するための形態について、図面を参照しながら説明する。本発明に係る運搬機構を備えた縦型遊技機の代表例として、図１の(ａ)図および(ｂ)図にパチンコ機の正面図および背面図を示しており、まずこの図面を参照してパチンコ機ＰＭの全体構成について要約説明する。
【００１６】
パチンコ機ＰＭは、外郭方形枠サイズに構成されて縦向きの固定保持枠をなす外枠１０の前面に、外枠１０の前側開口面域に合わせた方形枠サイズに形成された開閉搭載用の前枠２０が、互いの正面左側上下に配設された開閉連結支持機構１，２により前方に横開き開閉および着脱が可能に取り付けられ、正面右側に設けられた施錠装置３を利用して常には外枠１０と係合された閉鎖状態に保持される。
【００１７】
外枠１０は、木材や樹脂材等で成形加工された複数本の定形尺の枠板部材、すなわち上下の枠板１１，１４および左右の枠板１２，１３を直角に枠組み連結するとともに、各隅角部に所要の補強金具を固定して外郭方形の枠状に構成される。下枠板１４は、底板１５の上面前縁に沿って支持台板としての幕板１６が、左右の枠板１２，１３間に亘って連結されて頑強な耐久強度を有する構造とされ、その上部に必要に応じて補強連杆１７が連結固定される。なお外枠１０の外形寸法は、一般的に縦約８１cm、横約５１cm、前後約７cm程度（底板は約９cm程度）、各枠板の板厚は約１９mm程度である。
【００１８】
一方、前枠２０は、樹脂材料や木材等を用いて外枠１０の前側開口面域に合わせた若干小型の方形枠サイズに形成されており、パチンコ機ＰＭの遊技構成部品を搭載する開閉搭載枠とされる。前枠２０の上部には前面域に合わせた方形状のガラス扉４および上球皿６がともに横開き開閉および着脱可能に組み付けられるとともに、上球皿６の下側には遊技球を貯留する下球皿７および発射ハンドル８が取り付けられ、発射ハンドル８の裏側には遊技球を発射する遊技球発射装置９が装備されている。前枠２０の裏面側に形成された収容枠には所定のゲージ設定で構成された遊技盤５が着脱可能にセット保持され、その背後に球貯留タンクや賞球払出機構等を有する裏セット盤３０が後方に横開き開閉および着脱可能に装備されている。裏セット盤３０の各部には主制御基板やターミナル基板等の各種回路基板や電子部品などが取り付けられ、遊技盤５、前枠２０および裏セット盤３０の各機器が図示省略するコネクタケーブルで接続されて、実質的な遊技機本体をなす遊技構造体ＰＳが構成される。
【００１９】
そして上下の開閉連結支持機構１，２は、一般的な形態として外枠１０および前枠２０の左側縁に固定されて互いに整合し得る補強兼用のヒンジ金具１ａ，１ｂ、２ａ，２ｂの軸ピンと軸孔との嵌挿ヒンジ形態とされる。また幕板１６の上面およびこれと位置整合する前枠２０の下面には、上下のヒンジ金具１，２に片持ち支持された遊技構造体ＰＳを閉鎖姿勢で水平に安定支持するための受け金具１８および座部２８が設けられている（図５および図６を参照）。これにより遊技構造体ＰＳが、開閉連結支持機構１，２を利用して外枠１０に着脱および前方への横開き開閉が可能に連結され、右側縁に設けられた施錠装置３により縦向きの立設姿勢で安定的に閉止保持されて一体のパチンコ機ＰＭが形成される。
【００２０】
以上のように概要構成されるパチンコ機ＰＭにあって、外枠１０の上部に把持構造５０が設けられ、下部にキャスター機構１００が設けられている。以下では、まず図２および図３を参照して把持構造５０について説明する。なお図２は把持構造５０を斜め上方から透視して見た斜視図、図３は把持構造５０の側面図である。
【００２１】
把持構造５０は、外枠１０における上枠板１１の下面中央部に止着されたハンドルベース５１と、このハンドルベース５１にスライドおよび揺動自在に取り付けられたバーハンドル５２を主体として構成される。
【００２２】
ハンドルベース５１は、プレート部５１ａと、このプレート部５１ａの左右側部が直角に屈曲されて上方に延びる支持辺部５１ｂ，５１ｂ、および支持辺部の端部がさらに左右外方に直角に折り曲げられて形成された固定辺部５１ｄ，５１ｄなどからなり、左右の支持辺部５１ｂ，５１ｂにはバーハンドル５２の線径よりもわずかに大きめの溝幅で前後に延びる長孔状の支持孔５１ｃ，５１ｃが形成され、固定辺部にはハンドルベース５１を上枠板１１にねじ止めするためのネジ挿通孔が複数穿設されている。ハンドルベース５１は、例えば板厚1.6〜2.3mm程度の鋼板を打ち抜きおよび曲げ加工して図示する形状に成形し、所要の表面処理を施して形成される。
【００２３】
バーハンドル５２は、中央の把持部５２ａと、この把持部の左右側部が直角に折り曲げられて左右平行に延びる脚部５２ｂ，５２ｂ、および左右の脚部の端部がさらに左右外方に直角に折り曲げられて把持部５２ａと平行に延びる係合軸部５２ｃ，５２ｃなどからなり、例えば線径６〜10mm程度のみがき鋼棒ないしステンレス鋼棒を曲げ加工し、必要に応じて所要の表面処理を施して形成される。バーハンドル５２の左右の脚部５２ｂ，５２ｂの外幅寸法は、ハンドルベース５１における左右の支持辺部５１ｂ，５１ｂの内幅寸法よりも幾分小さめに設定されるとともに、脚部５２ｂの長さは係合軸部５２ｃを支持孔５１ｃの溝前端に係合させた状態で、把持部５２ａがプレート部５１ａの後端部からわずかに突出して指掛け容易に配設される寸法になっている。
【００２４】
バーハンドル５２は、ハンドルベース５１の左右の支持孔５１ｃ，５１ｃに左右の係合軸部５２ｃ，５２ｃをそれぞれ通して係合させ、支持辺部５１ｂ，５１ｂの外側に突出した係合軸部に係止リング５３，５３をカシメ固着することでハンドルベース５１に取り付けられ、支持孔５１ｃ，５１ｃと係合軸部５２ｃ，５２ｃとの係合により、支持孔５１ｃ，５１ｃの延びる方向（前後方向）にスライド移動自在、および係合軸部５２ｃ，５２ｃの軸線を揺動軸として揺動自在に支持される。
【００２５】
そして、ハンドルベース５１を上枠板１１の下面側中央部に位置合わせし、固定辺部５１ｄ，５１ｄの下側からネジ挿通孔にビスを挿通してねじ止めすることで、外枠１０の上部中央に把持構造５０が形成される。
【００２６】
こうして形成された把持構造５０では、図３中に二点鎖線で示すように、バーハンドル５２を前方にスライドさせて係合軸部５２ｃを支持孔５１ｃの溝前端に係合させて配設したときに、バーハンドル５２がハンドルベースのプレート部５１ａと上枠板１１との間の収容空間内に収容され、後端の把持部５２ａがプレート部５１ａの後縁に沿って配設される。また上枠板１１は把持構造近傍の後縁面が前方にアーチ状に切り欠かれており、把持部５２ａを容易に引き出し操作できるようになっている。
【００２７】
一方、把持構造５０を利用するときには、図３中に実線で示すように、把持部５２ａに指を掛けてバーハンドル５２を後方にスライドさせ、係合軸部５２ｃが支持孔５１ｃの溝後端に係合するまで引き出す。すると把持部５２ａが外枠１０から後方に突出して上下に揺動可能に配設され、運搬作業者はこの把持構造５０を利用してパチンコ機ＰＭを容易に運搬することができる。なお、把持構造５０を利用したパチンコ機の運搬操作については、次述するキャスター機構の作用とともに詳述する。
【００２８】
次に、外枠１０の下部に設けられた左右のキャスター機構の構成について、図４〜図６の各図を参照して説明する。ここで、図４は背面視右側のキャスター機構を分解状態で示す斜視図、図５はキャスター機構１００の背面図、図６はキャスター機構１００の平面図である。
【００２９】
なお、以降ではパチンコ機ＰＭを後方から見た状態を主として説明するため、図１(ｂ)および図５に示す背面図における左右方向をもって左側・右側と称して説明する。また各図には、左右対称に構成したキャスター機構を底板１５の左右に各１個ずつ配設した構成例を示しており、説明の便宜上から両者を区別して説明する場合には、背面視における左側のキャスター機構およびその構成部材に添え字「Ｌ」を付して１００Ｌ，１１０Ｌのように、右側のキャスター機構およびその構成部材に添え字「Ｒ」を付して１００Ｒ，１１０Ｒのように示す。また左右のキャスター機構１００Ｌおよび１００Ｒは、同時に使用位置または収容位置に設定されるが、両方の位置関係を明示的に示すため、図５および図６では便宜的に左側のキャスター機構１００Ｌを使用位置、右側のキャスター機構１００Ｒを収容位置に配設した状態で示している。
【００３０】
左右の各キャスター機構１００Ｌ，１００Ｒは、それぞれ車輪１３０を前後方向に回動可能に支持する支持ブラケット１２０、左右の支持ブラケット１２０を連結する連結ロッド１４０、外枠１０の下部に設けられて連結ロッド１４０により連結された左右の支持ブラケット１２０を着脱および前後に揺動可能に支持するベース部材１１０、ベース部材１１０に支持された支持ブラケット１２０を使用位置Ｃｐに係止保持する係止構造１５０（ネジ受け部１５２、係止ネジ１５５）などからなり、連結ロッド１４０により連結された左右の支持ブラケット１２０をベース部材１１０に装着して使用位置Ｃｐに係止したときに、左右の車輪１３０が外枠１０の後方に突出して配設され、車輪１３０を接地させて外枠１０を支持させた状態で前後方向に転がり運搬可能に構成される。
【００３１】
ベース部材１１０（１１０Ｌ，１１０Ｒ）は、それぞれ平坦なプレート部１１１と、このプレート部における左右中央寄りの側部が直角に曲げ起こされて上方に延びる支軸フランジ１１２、プレート部１１１の前端部が直角に曲げ起こされ幕板１６に沿って上方に延びる前方フランジ１１６などからなり、左右のベース部材１１０Ｌ，１１０Ｒが左右対称に構成される。ベース部材１１０は、例えば板厚2.3〜3.2mm程度の鋼板をプレス成形して各図に示す形状に加工成形し、ユニクロメッキ等の所要の表面処理を施して形成される。
【００３２】
支軸フランジ１１２には、上下に延びて上端が開放された支軸溝１１２ａが設けられ、その後方には溶接ナットを利用したネジ受部１５２が設けられている。支軸溝１１２ａは、連結ロッド１４０の外径よりもわずかに大きめの溝幅を有して上下に延び、上端部には連結ロッド１４０の装着を容易化する受容テーパが上向きに開いて形成されている。ネジ受け部１５２は、支持ブラケット１２０が使用位置Ｃｐに配設されたときのアーム部１２２の上縁の高さ位置を基準として設けられ、螺合支持した係止ネジ１５５先端の棒先部をアーム部１２２の上方に繰り出させて係止可能に構成されている。またプレート部１１１および前方フランジ１１６には、木ねじを挿通させるサラモミ穴形態のネジ挿通孔が形成されている。
【００３３】
ネジ受け部１５２には、支持ブラケット１２０を収容位置に係止する収容位置掛止フック１５６が取り付けられる。収容位置掛止フック１５６は、細長い帯板状の中間部分がネジ受け部１５２のナットの厚さに合わせて曲折されクランク状に形成されたアーム部１５６ａと、このアーム部１５６ａの基端側に係止ネジ１５５の外形よりも幾分大きめの内径を有して穿設されたネジ挿通孔１５６ｂ、アーム部１５６ａの先端側に支持ブラケット１２０における係止ピン１５１の外形よりも幾分大きめの溝幅を有して形成されたフック溝１５６ｃ、およびアーム部１５６ａの側縁が一部延出されるとともにアーム部と直交方向に折り曲げられて形成された指掛け部などからなり、例えば、板厚1.2〜1.6mm程度の鋼板を打ち抜きおよび曲げ成型して図示する形状に形成される。収容位置掛止フック１５６は、ネジ挿通孔１５６ｂに係止ネジ１５５を挿通してネジ受け部１５２に螺合することで、支軸フランジ１１２に前後方向に揺動可能に支持され、係止ネジ１５５を締め込むことで任意の角度位置に固定可能に取り付けられる。
【００３４】
一方、底板１５におけるキャスター機構１００の取付部では、底板１５の上面がベース部材１１０の板厚分ザグリ加工されて金具取り付け座１０１が形成されており、ベース部材の取付位置を明示するとともに、ベース部材１１０を取り付けたときにプレート部１１１の上面が突出することなく底板１５の上面と一致してフラットになるように構成されている。
【００３５】
ベース部材１１０を底板１５に取着する際には、左右のベース部材１１０Ｌ，１１０Ｒを各支軸フランジ１１２が内側になるように左右の取り付け座１０１に載置する。そして前端の前方フランジ１１６を幕板１６に突き当てることで、各ベース部材１１０が前後および左右方向に位置決めされ、プレート部１１１および前方フランジ１１６のネジ挿通孔に木ねじを挿通してねじ込むことで、底板１５の上面に位置決めされた状態でネジ固定される。
【００３６】
支持ブラケット１２０は、一対のアーム部１２１，１２２と、これらのアーム部を車輪１３０におけるボス部１３０ａの厚さに合わせた内面間隔を隔てて平行に保持する円筒状のカラー１２３および補強ロッド１２４等からなり、左右のアーム部１２１，１２２の間にカラー１２３および補強ロッド１２４を挟んでこれらをカシメ固着または溶着することで一体に構成される。
【００３７】
カラー１２３の内径は連結ロッド１４０の外形よりもわずかに大きめに形成され、その左右に固着されたアーム部１２１，１２２には、カラー１２３に連結ロッド１４０を挿通させるロッド挿通孔が形成されている。またアーム部１２１，１２２の先端側には、車軸１３５の外径よりもわずかに大きめの内径を有する車軸孔が穿設され、左右のアーム部がカラーの左右に固着されて一体化された状態で同一軸上に配設される。一方のアーム部１２２には、円盤状の頭部を有する係止ピン１５１が側方に突出してカシメ固着されている。係止ピン１５１の固着位置は、支持ブラケット１２０を収容位置Ｂｐに配設した状態における収容位置掛止フック１５６のフック溝１５６ｃの揺動軌跡に合わせて設定される。支持ブラケット１２０は、上述したベース部材１１０と同様の板金材料を用い同様の成形手段で形成される。
【００３８】
車輪１３０は、中心に円筒状のボス１３０ａを、外周に円環状の接地輪１３０ｂを有する車輪であり、図ではボス１３０ａと接地輪１３０ｂとの間を所定厚さの平板で結んだいわゆるディッシュタイプの車輪を示す。ボス１３０ａの軸心には車軸１３５の外径よりもわずかに大きめの内径を有する車軸孔がボス１３０ａを貫通して形成されている。接地輪１３０ｂの外周面（接地面）は曲率を有するタイコ状に形成されており、その場所での旋回（スピンターンやピボットターン）を含む小さい旋回半径で自由な方向への移動、すなわち小回りの効く転がり移動を可能に構成している。車輪１３０は樹脂材料または金属材料の何れも利用できるが、例えば、ナイロンやポリウレタン等の樹脂材料を用いて射出成型等の成形手段により一体に形成される。
【００３９】
車輪１３０は、ボス１３０ａを左右のアーム部１２１，１２２の間に緩挿して各車軸孔を連通状態に位置決めし、薄平リベット形態の車軸１３５を一方のアーム部側から他方のアーム部側に挿通させて先端をカシメることで、支持ブラケット１２０に回動自在に枢結される。なお、補強ロッド１２４は、車輪１３０を枢結したときに接地輪１３０ｂの外周面と軽く接触する位置に固着されており、車輪１３０を外枠１０の後方に突出させた使用位置で外枠１０を後方に傾けたときに、車輪１３０が空転して外枠１０の下部が前方に逃げ、パチンコ機ＰＭが安易に転倒してしまわないようになっている。
【００４０】
連結ロッド１４０は、左右の支持ブラケット１２０を連結して一体化する棒部材であり、その長さ寸法はベース部材１１０Ｌ，１１０Ｒにおける支軸フランジ１１２，１１２の外側に各支持ブラケット１２０，１２０を配設したときの、外側のアーム部１２１，１２１の外面間隔よりも幾分長めの寸法に形成されている。連結ロッド１４０は、例えば、所定線径のみがき鋼棒を上記寸法に切断し所要の表面処理を施して形成される。
【００４１】
車輪１３０が枢結された支持ブラケット１２０，１２０は、それぞれ係止ピン１５１が枢結されたアーム部１２２を内向きとして、カラー１２３を連結ロッド１４０の左右の端部に嵌挿し、相互に対向するアーム部１２２，１２２の内面間隔が左右のベース部材における支軸フランジ１１２，１１２の外面間隔よりもわずかに大きめの間隔となる左右位置に支持させる。そして左右の支持ブラケット１２０，１２０の先端側が軸線に対して同一のラジアル方向を向く角度位置（同一位相）にセットし、カラー１２３，１２３をカシメることにより、左右の支持ブラケット１２０，１２０と連結ロッド１４０とが一体に連結される。
【００４２】
このように連結された左右の支持ブラケット１２０，１２０は、左右の固定金具１１０Ｌ，１１０Ｒに一体的に着脱することができる。装着は、例えば連結ロッド１４０の中央部を把持して左右の支持ブラケット１２０，１２０を支軸フランジ１１２，１１２の外側に位置させ、連結ロッド１４０を左右の支軸溝１１２ａ，１１２ａの受容テーパ部に位置合わせして上端から挿入し、連結ロッド１４０を下動させて溝下端部に係合させることで行われる。
【００４３】
連結ロッド１４０が、支軸溝１１２ａ，１１２ａの底部まで嵌入されると、左右の支持ブラケット１２０，１２０は、支軸フランジ１１２，１１２の左右外側に位置して連結ロッド１４０の軸廻りに前後方向に揺動可能に支持され、車輪１３０，１３０が補強連杆１７に当接して支持ブラケット１２０，１２０の先端側が鉛直上方を向く角度位置と、アーム部１２１，１２２の下縁がプレート部１１１の上面と係合して支持ブラケット１２０，１２０の先端側が略水平の後方を向く角度位置との間で、一体的に揺動変位可能に支持される。
【００４４】
そして支持ブラケット１２０をこの角度範囲で揺動させると、支持ブラケット１２０の先端側が鉛直上方を向く角度位置において、左右の車輪１３０が外枠１０の内方に収容されるとともに、各アーム部１２２に固着された係止ピン１５１が収容位置掛止フック１５６に形成されたフック溝１５６ｃの揺動半径上に位置して配設される。また支持ブラケット１２０の先端側が略水平の後方を向く角度位置において、左右の車輪１３０が外枠１０の後方に突出して配設されるとともに、各アーム部１２２の上縁がネジ受け部１５２に螺合支持された係止ネジ１５５の棒先部と整合して配設される。
【００４５】
そこで、支持ブラケット１２０の先端側が鉛直上方を向く角度位置で、収容位置掛止フック１５６を上方に揺動操作し、それぞれフック溝１５６ｃを係止ピン１５１に係合させて係止ネジ１５５を締め込むことで、車輪１３０を外枠１０の内方に収容した収容位置Ｂｐに係止保持することができる（図９を併せて参照）。また支持ブラケット１２０の先端側が水平後方を向く角度位置で、係止ネジ１５５をねじ込んでネジ先端の棒先部を繰り出させアーム部１２２の上縁に係合させることで、車輪１３０を外枠１０の後方に突出させた使用位置Ｃｐに係止保持することができる（図８を併せて参照）。
【００４６】
使用位置Ｃｐでは、外枠１０の後方に突出して配設された車輪１３０は、上下方向の高さ位置において底板１５の底面よりも上方に位置しており、外枠１０を鉛直に正立させることで底板１５の底面を接地させ、キャスター機構を有しない従来のパチンコ機と同様に機体を自立させることができる。また外枠１０を所定角度以上後方に傾けると車輪１３０が床面に接地しキャスター機構１００によりパチンコ機ＰＭを支持させることができる。各図に示すキャスター機構１００では、図７および図８にキャスター機構の使用状態を側面図で示し、両図に二点鎖線で傾斜初期の状態を付記するように、外枠１０を後方に５度程度傾斜させたときに車輪１３０が床面に接地し、当該角度（以下、このように外枠１０を後方に傾けたときに車輪１３０が接地する際の外枠１０の傾斜角を「接地傾斜角」という。）以上の後傾姿勢においてパチンコ機ＰＭの荷重がキャスター機構１００に支持されるようになっている。
【００４７】
このため、パチンコ機ＰＭを出荷する際にキャスター機構１００を使用位置Ｃｐに設定しておけば、以降の運搬過程では、図７に示すようにパチンコ機ＰＭを接地傾斜角を超えて後方に傾斜させることで、キャスター機構１００を利用してパチンコ機ＰＭを転がり運搬することができる。
【００４８】
例えば、運搬作業者がパチンコ機ＰＭの背後に立ち、外枠１０の天板１１または左右の枠板１２，１３を把持して外枠１０を後方に傾斜させ、パチンコ機ＰＭの荷重をキャスター機構１００に支持させた状態で機体を前方（ガラス扉４の前面方向）に押すことで、パチンコ機ＰＭを機体の前面方向に容易に転がり運搬することができる。またパチンコ機ＰＭを後傾してパチンコ機ＰＭの荷重をキャスター機構１００に支持させた状態で機体を後方（裏セット盤３０の背面方向）に引くことで、パチンコ機ＰＭを機体の後方に転がり運搬することができる。このとき把持構造５０のバーハンドル５２を把持して引っ張り移動することで、作業者が進行方向を向いた状態で容易に運搬することができる。そしてこのような運搬機構では、パチンコ機ＰＭの荷重を左右のキャスター機構に支持させるとともに機体の上部を軽く支えて機体の前方または後方に移動させる形態のため、前後方向の幅が薄く背が高いパチンコ機を安定して所望の方向に移動させることができる。
【００４９】
パチンコ機ＰＭの運搬過程でパチンコ機を仮置きするような場合には、上記後傾姿勢から機体を起仰させるだけでよい。パチンコ機ＰＭの傾斜角度が前述した所定角度未満になると車輪１３０が床面から離れ、鉛直姿勢では底板１５の底面全体が接地してパチンコ機ＰＭの荷重が底板１５に支持され、従来のパチンコ機と同様に機体を安定的に自立させることができる。このため、パチンコ機の出荷後、設置枠台に固定されるまでの運搬過程では、パチンコ機ＰＭを後傾させ、または立てるだけでキャスター機構を利用した運搬と底板に安定支持させた自立とを簡単に行わせることができ、仮置きをするたびに車輪１３０を収容位置Ｂｐに切り換えたり車輪を着脱するような煩雑な作業を必要としない。なお使用位置Ｃｐに設定する際に、収容位置掛止フック１５６を連結ロッド１４０に当接させて係止ネジ１５５を固定することにより、自立状態での連結ロッド１４０の浮き上がりを防止することができる。
【００５０】
またキャスター機構１００では、使用位置Ｃｐを、車輪１３０のほぼ全体が外枠１０の後方に突出した低い位置に設けることで、接地傾斜角を約５度という小さな角度に設定している。このため接地傾斜角の角度位置、すなわち図８中（および図７中）に二点鎖線で付記するように、左右の車輪１３０と底板１５の後端縁部をともに接地させた状態でパチンコ機ＰＭを立設保持させることも可能になっており、例えば運搬途中で移動を一旦停止するようなときに、パチンコ機を接地角度位置に立設させることで機体を支える力を緩めることができ、作業者の労力軽減と迅速な運搬とを両立した構成になっている。
【００５１】
一方、キャスター機構１００を使用しないとき、例えば、製造工場内での組み立て工程や複数台のパチンコ機ＰＭをパレットに積載して搬送するようなとき、あるいはパチンコ機ＰＭが遊技施設の設置枠台に固定された後などには、図９に収容位置Ｂｐに設定したキャスター機構１００の側面図を示すように、車輪１３０を外枠１０の内方に収容した収容位置Ｂｐに設定することができる。
【００５２】
収容位置Ｂｐでは、支持ブラケット１２０の先端側が鉛直上方を向き左右の車輪１３０が底板１５の上方に位置して外枠１０の内方にコンパクトに収容された状態で係止保持される。このため、例えば製造工場内の組み立て工程や、外枠１０の下部左右を対向する凹溝状の支持部で保持するパレットに積載して搬送する際などに、車輪１３０が組立ラインの構成機器に当接したりパレットの支持部に当接したりすることがなく、既存設備を有効に活用することができる。また遊技施設においても外枠１０の下部後方に位置する遊技島の設備機器等と干渉するおそれがなく、従来のパチンコ機と同様に取り扱うことができる。
【００５３】
さらに、係止ピン１５１と収容位置掛止フック１５６との係合を解除して、連結ロッド１４０を上方に引き上げる簡単な操作で、左右の支持ブラケット１２０，１２０を一体的に取り外すことができ、図１０に支持ブラケット１２０を取り外した状態の側面図を示すように、底板１５の上方に広い空間を確保して他の用途に有効に活用することができる。
【００５４】
従って、以上説明した構成によれば、既存の工場設備や島設備（設置枠台の周辺設備）に影響を与えることなく、パチンコ機の搬出から設置に至る運搬作業の負担を軽減して作業性の良好な運搬機構を提供することができる。
【００５５】
なお、上記実施例では、使用位置Ｃｐにおいて車輪１３０が底板１５の底面よりも上方に位置し、パチンコ機ＰＭを正立させたときに車輪１３０が床面から浮き上がるように構成した例を示したが、使用位置において車輪１３０が底板１５の底面と同一平面上に位置するように、換言すれば、パチンコ機ＰＭを正立させたときに底板１５の底面が床面に接地するとともに車輪１３０も同時に接地するように（すなわち接地傾斜角が０度になるように）構成してもよい。このような構成によれば、パチンコ機ＰＭをわずかに後傾させるだけで転がり運搬できることに加えて、パチンコ機を正立させたときの前後方向の支持幅を底板単体のときよりも増大させることができ、自立状態（仮置き状態）の安定性をさらに向上させることができる。
【００５６】
次に、キャスター機構の他の構成例を図１１に示しており、このキャスター機構２００について簡潔に説明する。キャスター機構２００は、外枠１０における下部左右の角部に設けられており、図１１ではこのうち右側のキャスター機構を分解斜視図で示している。なお、キャスター機構２００についても左右対称に構成されており、添え字「Ｌ」「Ｒ」を省略するとともに、上述したキャスター機構１００と同様の構成部分には同一の番号を付して重複説明を省略する。
【００５７】
キャスター機構２００は、車輪１３０を前後方向に回動可能に支持する支持ブラケット２２０、左右の支持ブラケット２２０を連結する連結ロッド１４０、隣接する側方の枠板と底板１５とを繋いで固定され、連結ロッド１４０により連結された左右の支持ブラケット２２０を着脱および前後に揺動可能に支持するベース部材２１０、ベース部材２１０に支持された支持ブラケット２２０を使用位置Ｃｐに係止保持する係止構造２５０（ネジ受け部２５２、係止ネジ１５５）などからなり、連結ロッドにより連結された左右の支持ブラケット２２０をベース部材２１０に装着して使用位置Ｃｐに係止したときに、左右の車輪１３０が外枠１０の後方に突出して配設され、車輪１３０を接地させて外枠１０を支持させた状態で前後方向に転がり運搬可能に構成される。
【００５８】
ベース部材２１０は、平坦なプレート部２１１と、このプレート部２１１における左右中央寄りの側部が直角に曲げ起こされて上方に延びる支軸フランジ２１２、プレート部２１１における左右外側の側部が直角に曲げ起こされて側方の枠板１３（１２）に沿って延びる側方フランジ２１６などからなり、左右のベース部材（２１０Ｌ，２１０Ｒ）が左右対称に構成される。ベース部材２１０はそれぞれ外枠１０の左右の角部に設けられ、プレート部２１１および側方フランジ２１６をそれぞれ底板１５および枠板１３（１２）に木ねじやリベット等で固定することで、底板１５と側方の枠板とを強固に連結固定し、外枠１０の枠組みを補強する補強金具としての機能を兼ね備えた構成になっている。
【００５９】
支軸フランジ２１２には、上下に延びて上端が開放された支軸溝２１２ａが設けられ、その後方にはカシメナットを利用したネジ受部２５２が設けられている。支軸溝２１２ａは、連結ロッド１４０の外径よりもわずかに大きめの溝幅を有して上下に延び、上端部には連結ロッド１４０の装着を容易化する面取り部が形成されている。ネジ受け部２５２は、支持ブラケット２２０が使用位置Ｃｐに配設されたときのアーム部２２２の上縁の高さ位置を基準として設けられ、螺合支持した係止ネジ１５５先端の棒先部をアーム部２２２の上方に繰り出させて係止可能に構成されている。
【００６０】
支持ブラケット２２０は、内幅寸法が車輪１３０におけるボス部１３０ａの厚さに合わせて左右平行のコの字状に折り曲げ形成された一対のアーム部２２２，２２２と、アーム部の基端側に左右のアーム部を繋いで固着されたカラー１２３とからなり、左右のアーム部にはカラー１２３に連結ロッド１４０を挿通させるロッド挿通孔が形成されている。またアーム部２２２，２２２の先端側には、車軸１３５を挿通させて車輪１３０を枢結する車軸孔が同一軸上に配設される。なお連結ロッド１４０の基本構成は前出した連結ロッドと同様であるが、長さ寸法については左右のベース部材２１０の配設位置に合わせて形成されている。
【００６１】
支持ブラケット２２０は、各支持ブラケット２２０の先端側にそれぞれ車輪１３０を枢結したうえで、前述したキャスター機構１００における支持ブラケット１２０と同様に連結ロッド１４０に一体に固着される。すなわち、各支持ブラケット２２０のカラー１２３を連結ロッド１４０の左右の端部に嵌挿し、相互に対向する左右の支持ブラケット２２０の内面間隔が左右のベース部材における支軸フランジ２１２の外面間隔よりもわずかに大きめの間隔となる左右位置に左右同一の角度位置（同一位相）でセットして、各カラー１２３をカシメることにより、左右の支持ブラケット２２０と連結ロッド１４０とが一体に連結される。
【００６２】
左右一体に連結された支持ブラケット２２０は、左右の固定金具２１０に一体的に着脱することができ、左右の支持ブラケット２２０を支軸フランジ２１２の外側に位置させて、連結ロッド１４０を左右の支軸溝２１２ａに嵌入し溝下端部に係合させることで行われる。連結ロッド１４０が支軸溝２１２ａの底部まで嵌入されると、左右の支持ブラケット２２０は、支軸フランジ２１２の左右外側に位置して連結ロッド１４０の軸廻りに前後方向に揺動可能に支持され、支持ブラケット２２０の先端側が略鉛直上方を向く角度位置と、アーム部２２２の下縁がプレート部２１１の上面と係合して支持ブラケット２２０の先端側が水平後方を向く角度位置との間で、一体的に揺動変位可能に支持される。
【００６３】
そして支持ブラケット２２０の先端側が鉛直上方を向く角度位置において、左右の車輪１３０が外枠１０の内方に収容されるとともに、ネジ受け部２５２に螺合された係止ネジ１５５がアーム部２２２の側縁の後方に繰り出し可能な状態になる。また支持ブラケット２２０の先端側が水平後方を向く角度位置において、左右の車輪１３０が外枠１０の後方に突出して配設されるとともに、ネジ受け部２５２に螺合された係止ネジ１５５がアーム部２２２の上縁よりもわずかに上方に位置して繰り出し可能な状態になる。そこで支持ブラケット２２０の先端側が鉛直上方を向いた角度位置で係止ネジ１５５を繰り出すことで、車輪１３０を外枠１０の内方に収容した収容位置Ｂｐに保持させることができ、また支持ブラケット２２０の先端側が水平後方を向いた角度位置で係止ネジ１５５を繰り出すことで、車輪１３０を外枠１０の後方に突出させた使用位置Ｃｐに係止することができる。
【００６４】
収容位置Ｂｐおよび使用位置Ｃｐは、前述したキャスター機構１００における各位置と略同様であり、使用位置Ｃｐでは、外枠１０の後方に突出して配設された車輪１３０が底板１５の底面よりも上方に位置し、外枠１０を鉛直に正立させることで底板１５の底面を接地させてパチンコ機ＰＭを自立させることができ、外枠１０を所定角度以上後方に傾けると車輪１３０が床面に接地してキャスター機構２００によりパチンコ機ＰＭを支持させることができる。
【００６５】
このため、パチンコ機ＰＭを出荷する際にキャスター機構２００を使用位置Ｃｐに設定しておけば、以降の運搬過程では、図７に示したようにパチンコ機ＰＭを後方に傾斜させることで、キャスター機構２００を利用してパチンコ機を前方または後方に転がり運搬することができ、またパチンコ機を後傾姿勢から鉛直に立てるだけで機体を安定的に自立させることができる。このため、パチンコ機の出荷後、遊技施設の設置枠台に固定されるまでの運搬過程で、パチンコ機ＰＭを後傾させ、または立てるだけでキャスター機構２００を利用した運搬と底板１５に安定支持させた自立とを簡単に行わせることができ、仮置きをするたびに車輪１３０を収容位置Ｂｐに切り換えたり車輪を着脱するような煩雑な作業を必要としない。
【００６６】
一方、キャスター機構２００を使用しないときには、車輪１３０を収容位置Ｂｐに設定することで、車輪１３０を外枠１０の内方にコンパクトに収容保持させることができる。このため、例えば製造工場内の組み立て工程やパレットに積載して搬送する際などに、車輪１３０が組立ラインの構成機器に当接したりパレットの支持部に当接したりすることがなく、既存設備を有効に活用することができる。また遊技施設においても外枠１０の下部後方に位置する遊技島の設備機器等と干渉するおそれがなく、従来のパチンコ機と同様に取り扱うことができる。また、連結ロッド１４０を上方に引き上げることで、左右の支持ブラケット２２０を一体的にかつ簡単に取り外すことができ、これにより底板１５の上方の空間を有効に活用することができる。
【００６７】
従って、本構成のキャスター機構２００においても、既存の工場設備や島設備に影響を与えることなく、パチンコ機ＰＭの搬出から設置に至る運搬作業の負担を軽減して作業性の良好な運搬機構を提供することができ、併せて外枠１０の強度を向上させた縦型遊技機を提供することができる。
【００６８】
なお、キャスター機構１００（２００）に、図１２に示すようなロック機構１７０を設ける構成とすることもできる。このロック機構１７０は、左右の枠板１２，１３にねじ止めされた掛止ブラケット１７１と、この掛止ブラケット１７１に係合支持されて下垂する固定ロッド１７５とからなる。掛止ブラケット１７１には、上下および前方に延びるＬ字状のガイド溝１７１ｃが形成され、固定ロッド１７５の上端に固着されてガイド溝１７１ｃに係着された係合ピン１７５ｃを介して、固定ロッド１７５がガイド溝１７１ｃに沿った上下・前後方向にスライド変移可能および係合ピン１７５ｃの軸廻りに揺動可能に支持される。固定ロッド１７５の下端には支持ブラケットの補強ロッド１２４と係脱自在な係合溝１７５ｅが下方に開いて設けられている。
【００６９】
固定ロッド１７５は、キャスター機構を使用位置Ｃｐに設定した状態で、係合ピン１７５ｃをガイド溝１７１ｃに沿って昇降させ、係合ピン１７５ｃの軸廻りに揺動させることで、下端の係合溝１７５ｅを補強ロッド１２４に係合させることができ、この係合状態で固定ロッド１７５の上端部を前方に揺動させて係合ピン１７５ｃをガイド溝１７１ｃの前端側に係合させることで、支持ブラケットを使用位置Ｃｐに係止できるようになっている。このため、本構成のロック機構１７０を用いても支持ブラケットを使用位置Ｃｐに係止保持させることができ、また係合溝１７５ｅをカラー１２３と係脱可能に構成することで、連結ロッド１４０を係止保持する構成とすることも可能である。
【００７０】
さて、以上のようなキャスター機構を備えたパチンコ機にあって、パチンコ機を運搬する際、特に機体を後方に引っ張って転がり運搬する際に利便性の高い把持構造について、図１３および図１４に他の構成例を示しており、以下簡単に説明する。図１３に示す把持構造６０は、上枠板１１の内側に下向きに突出するフック状のハンドル６２を固着した固定形態の把持構造である。このような把持構造６０によれば、簡明な構成で低コストに実施できることに加え、運搬作業者がハンドル６２に指を掛け易く、かつ外枠１０の上部位置を直接的に支持することでパチンコ機の姿勢変化を容易に制御することができる。
【００７１】
また図１４に示す把持構造７０は、上枠板１１の後端部がＵ字状に切り欠かれて形成されたフィンガーポケット７１と、フィンガーポケットの左右にザグリ加工されたハンドル取着部にねじ止めされたハンドル７２とからなり、フィンガーポケット７１に指を入れてハンドル７２を把持する形態の把持構造である。このような構成によれば、上記把持構造６０と同様に簡明な構成で低コストに実施できることに加えて、把持構造７０の各構成部品が外枠１０の内・外周および後方にも突出することがなく、裏セット盤や設置枠台等の周辺部材との関係で把持構造の設置スペースが限られるような遊技機でも、干渉や挟み込みなどを生じない把持構造を構成することができる。また、図中に二点鎖線で付記するように、ハンドル７２を撓み変形容易な樹脂製のバンド等で形成し、使用時に後方に引き出して把持するように構成してもよい。
【００７２】
なお、以上説明した実施形態では、左右の支持ブラケットを支持するベース部材を左右別体に形成し、これらを外枠１０の下部左右にそれぞれ固定する形態の構成例を示したが、左右両方の支持ブラケットを支持するベース部材（支軸フランジを左右の側部に有するベース部材）を一体に形成し、これを外枠１０の下部に取り付ける構成であってもよい。また支持ブラケットを使用位置Ｃｐまたは収容位置Ｂｐに係止保持する構造は、各支持ブラケットを直接係止する構成に限らず、例えば、連結ロッド１４０の回動を規制することにより左右の支持ブラケットを間接的に係止する構成であってもよい。
【００７３】
また実施形態では、外枠１０に対して前後方向に揺動変位可能に支持ブラケット１２０，２２０を設け、この支持ブラケットの先端部に前後方向に回動する車輪１３０を設けた構成を例示したが、外枠１０に対する支持ブラケットの変位形態は左右方向の揺動変位や前後方向へのスライド変位などであってもよく、また転動体が前後方向にのみ回動する車輪やローラーのみならず、これらの車輪等を鉛直軸廻りにも回動自在に支持した形態（いわゆる自在タイプのキャスターを用いた形態）や、転動体が「球体」で任意方向に回動自在なボールキャスターを用いた形態などであってもよい。
【図面の簡単な説明】
【００７４】
【図１】本発明に係る運搬機構を備えた縦型遊技機の一例として示すパチンコ機の正面図(ａ)および背面図(ｂ)である。
【図２】第１構成形態の把持構造を斜め上方から見た斜視図である。
【図３】上記把持構造の側面図である。
【図４】第１構成形態のキャスター機構を分解状態で示す斜視図である。
【図５】上記キャスター機構の背面図である。
【図６】上記キャスター機構の平面図である。
【図７】上記キャスター機構の使用状態を示す側面図（全体図）である。
【図８】上記キャスター機構の使用状態を示す側面図（詳細図）である。
【図９】上記キャスター機構の収容状態を示す側面図である。
【図１０】支持ブラケット等を取り外した状態を示す上記キャスター機構の側面図である。
【図１１】第２構成形態のキャスター機構を示す斜視図である。
【図１２】第１、第２構成形態のキャスター機構に付設し得るロック機構の斜視図である。
【図１３】第２構成形態の把持構造を斜め上方から見た斜視図である。
【図１４】第３構成形態の把持構造を斜め上方から見た斜視図である。
【符号の説明】
【００７５】
ＰＭ  パチンコ機
ＰＳ  遊技構造体
Ｂｐ  収容位置
Ｃｐ  使用位置
１  上側の開閉連結支持機構（１ａ，１ｂ  ヒンジ金具）
２  下側の開閉連結支持機構（２ａ，２ｂ  ヒンジ金具）
３  施錠装置
４  ガラス扉
５  遊技盤
６  上球皿
７  下球皿
８  発射ハンドル
９  遊技球発射装置
１０  外枠
１１  上枠板
１２  左枠板
１３  右枠板
１４  下枠板（１５  底板、１６  幕板、１７  補強連杆）
１８  受け金具
２０  前枠
２８  座部
３０  裏セット盤
５０  把持構造（第１構成形態）
５１  ハンドルベース
（５１ａ  プレート部、５１ｂ  支持辺部、５１ｃ  支持孔、５１ｄ  固定辺部）
５２  バーハンドル
（５２ａ  把持部、５２ｂ  脚部、５２ｃ  係合軸部）
５３  係止リング
６０  把持構造（第２構成形態）
６２  ハンドル
７０  把持構造（第３構成形態）
７１  フィンガーポケット
７２  ハンドル
１００  キャスター機構
（１００Ｌ  背面視左側のキャスター機構、１００Ｒ  背面視右側のキャスター機構）
１０１  金具取り付け座
１１０  ベース部材
（１１０Ｌ  背面視左側のベース部材、１１０Ｒ  背面視右側のベース部材）
１１１  プレート部
１１２  支軸フランジ（１１２ａ  支軸溝）
１１６  前方フランジ
１２０  支持ブラケット
１２１  アーム部
１２２  アーム部
１２３  カラー
１２４  補強ロッド
１３０  車輪（１３０ａ  ボス、１３０ｂ  接地輪）
１３５  車軸
１４０  連結ロッド
１５０  係止構造
１５１  係止ピン
１５２  ネジ受け部
１５５  係止ネジ
１５６  収容位置掛止フック
（１５６ａ  アーム部、１５６ｂ  ネジ挿通孔、１５６ｃ  フック溝）
１７０  ロック機構
１７１  掛止ブラケット（１７１ｃ  ガイド溝）
１７５  固定ロッド（１７５ｃ  係合ピン、１７５ｅ  係合溝）
２００  キャスター機構
２１０  ベース部材
２１１  プレート部
２１２  支軸フランジ（２１２ａ  支軸溝）
２１６  側方フランジ
２２０  支持ブラケット
２２２  アーム部
２５０  係止構造
２５２  ネジ受け部
【図１】
2005245486.tif 000003
【図２】
2005245486.tif 000004
【図３】
2005245486.tif 000005
【図４】
2005245486.tif 000006
【図５】
2005245486.tif 000007
【図６】
2005245486.tif 000008
【図７】
2005245486.tif 000009
【図８】
2005245486.tif 000010
【図９】
2005245486.tif 000011
【図１０】
2005245486.tif 000012
【図１１】
2005245486.tif 000013
【図１２】
2005245486.tif 000014
【図１３】
2005245486.tif 000015
【図１４】
2005245486.tif 000016